(57)【要約】  位置固有情報をユーザに提供する方法およびシステム。この情報は、サービスの提供者によって直接に維持および供給される。この情報は、パーソナル通信装置上で動作しているアプリケーションによって供給され、このアプリケーションは、第三者サービス提供者（例えばＣｏｌｌｅｇｅＮＥＴ）によって開発および提供され、第三者サービス提供者は、このアプリケーションのさまざまなプログラム・オプション／ＡＰＩを、その顧客（例えばさまざまな大学）が利用および選択できるようにする。このようにすると、この情報を供給したい大学などの組織が、その大学に関連した固有のユーザ体験を提供するために、それ自体の固有のアプリケーションを開発する必要がなくなり、ユーザが、訪れたそれぞれの学校のアプリケーションをダウンロードする必要がなくなる。【特許請求の範囲】
【請求項１】
携帯型通信装置上の位置認知アプリケーションの表示および／または機能を、検出された位置に基づいて変化させる方法であって、
位置決定装置からの位置信号を受信することによって前記携帯型通信装置の位置を検出するステップと、
ユーザに提供する組織に関する情報について、ウェブ・ベースのサービスに問い合わせるステップであり、前記情報が、検出された位置に位置する前記組織に対応し、前記情報が、前記組織によって入力されたデータベースからのものである、ステップと、
前記ユーザに提供する前記情報を、前記ウェブ・ベースのサービスから受信するステップと、
前記ユーザに提供する前記情報を、前記携帯型通信装置の表示画面上に表示するステップであって、前記情報は、前記組織に関連するブランディング情報を含む情報であるステップと
を含む方法。
【請求項２】
前記位置決定装置が多数のＧＰＳ衛星を含む、請求項１に記載の方法。
【請求項３】
前記位置決定装置がＷｉ−Ｆｉローカル・ネットワークを含む、請求項１に記載の方法。
【請求項４】
前記位置決定装置が近距離通信（ＮＦＣ）装置を含む、請求項１に記載の方法。
【請求項５】
前記位置決定装置がｉＢｅａｃｏｎを含む、請求項１に記載の方法。
【請求項６】
前記位置決定装置が、位置ビーコンを用いたジオフェンシングを含む、請求項１に記載の方法。
【請求項７】
前記位置決定装置がブルートゥース装置を含む、請求項１に記載の方法。
【請求項８】
前記位置決定装置が無線周波数識別（ＲＦＩＤ）装置を含む、請求項１に記載の方法。
【請求項９】
前記位置決定装置が、モバイル・セルラ・ネットワーク装置を含む、請求項１に記載の方法。
【請求項１０】
前記ユーザに提供する前記情報が位置固有通知を含み、前記ユーザに表示する前記情報が前記位置固有通知を含む、請求項１に記載の方法。
【請求項１１】
前記ユーザに提供する前記情報が予定作成のオプションを含み、前記ユーザに表示する前記情報が前記予定作成のオプションを含む、請求項１に記載の方法。
【請求項１２】
前記位置決定装置から検出された前記位置に変化があった場合に、前記問合せるステップ、前記受信するステップおよび前記表示するステップが繰り返される、請求項１に記載の方法。
【請求項１３】
所定の時間が経過した後に、前記問合せるステップ、前記受信するステップおよび前記表示するステップが繰り返される、請求項１に記載の方法。
【請求項１４】
前記携帯型通信装置の前記位置について問い合わせされる最初の位置決定装置が前記ＧＰＳ衛星である、請求項２に記載の方法。
【請求項１５】
前記位置固有ブランディング情報が、スクール・カラー、スクール・ロゴなどの前記携帯型通信装置上の画面表示の特性に対する変更を含む、請求項１に記載の方法。
【請求項１６】
前記位置固有通知が、検出された前記位置に対して予定されている近く行われる行事に関する情報を含む、請求項７に記載の方法。
【請求項１７】
前記予定作成のオプションが、検出された前記位置に対する講義の割当てを含む、請求項８に記載の方法。
【請求項１８】
携帯型通信装置であって、
バスに接続されたコンピュータ処理装置と、
前記バスに接続された受信器であり、位置決定装置からの位置信号を受信するように適合された受信器と、
前記バスに接続された表示画面であり、前記携帯型通信装置のユーザに対して情報を表示するように適合された表示画面と、
前記バスに接続された非一時的コンピュータ可読媒体であり、コンピュータ実行可能命令のコードが書き込まれた非一時的コンピュータ可読媒体と
を備え、前記コンピュータ実行可能命令が、前記コンピュータ処理装置によって実行されたときに、請求項１に記載の方法を前記装置に実行させる、
携帯型通信装置。
【請求項１９】
コンピュータ実行可能命令のコードが書き込まれた非一時的コンピュータ可読媒体であって、前記コンピュータ実行可能命令が、携帯型通信装置のコンピュータ処理装置によって実行されたときに、請求項１に記載の方法を前記携帯型通信装置に実行させる、非一時的コンピュータ可読媒体。
【発明の詳細な説明】
【技術分野】
【０００１】
本発明は携帯型通信装置に関し、詳細には、図形表示を有するアプリケーションを実行する携帯型無線通信装置（例えば「スマートホン」など）に関する。
【背景技術】
【０００２】
ナビゲーション用のＧＰＳシステムの使用は受け入れられており、一般的に使用されている。このようなＧＰＳシステムの使用は現在、ほぼ欠くべからざるものとなっており、新しい都市、大学キャンパスなどのよく知らない場所を移動している人にとっては特にそうである。最近、特定のレストランまたは近くのガソリン・スタンドなどがどこにあるのかをユーザに知らせるアプリケーション（「アプリ」）などの追加機能も出現した。これらの検索の結果として供給される情報は、それらの検索サービスの供給者が管理しまたはデータを入力したデータベースから提供されるものではない。その代わりに、この第三者情報（例えばガソリン価格、レストラン・メニュー項目、キャンパス行事）は、Ｇｏｏｇｌｅ（登録商標）などの第三者検索提供者が管理するデータベースから制御、編集および提供される。
【０００３】
この情報が最新のものであり、完全かつ信頼できる情報であることを保証するために、この情報が、サービス提供者（すなわちレストラン、映画館、大学など）が管理するデータベースから代わりに提供されることが、サービス提供者とエンドユーザの両方にとって好ましいことがある。また、第三者検索が、検出された位置に基づいて表示および特徴を変化させることはない。すなわち、Ｇｏｏｇｌｅ検索の結果が、携帯型通信装置上の表示を変化させて、スタンフォード大学の色およびロゴを示すことはなく、スタンフォード大学キャンパスを訪れた人に大学が提供したい情報の詳細を提供することもない。
【発明の概要】
【発明が解決しようとする課題】
【０００４】
したがって、携帯型通信装置上の位置認知アプリを、検出された位置に基づいてその表示および特徴を変化させるように構成することは望ましいであろう。
【０００５】
ＧＰＳ、Ｗｉ−Ｆｉ、モバイル・ネットワーク、ブルートゥース（登録商標）、ＮＦＣ、ビーコンを用いたジオフェンシングなどの公知の手段によって位置を検出することができるとさらに望ましいであろう。
【課題を解決するための手段】
【０００６】
本発明の実施形態は、検出された位置に基づいてその表示および特徴を変化させる位置認知アプリケーションを対象としている。最初に、ユーザが、自分の携帯型通信装置上にアプリケーションをインストールし、次いで、そのアプリケーションが、検出された位置に基づいて異なる表示を提示する。限定はされないが、この位置は、ＧＰＳ、Ｗｉ−Ｆｉ、モバイル・ネットワーク、ブルートゥース、ＮＦＣ、ｉＢｅａｃｏｎ、位置ビーコンを用いたジオフェンシングなどの公知の手段によって検出することができる。位置が検出された後、位置固有情報が、携帯型通信装置の表示画面上にこの情報を表示するアプリケーションを介してユーザに対して表示される。この情報は、ローカル・サービスの提供者が制御するデータベースから供給される。
【０００７】
このアプリケーションの例示的ないくつかの用途が示されるが、本発明の範囲内において他の多くの用途が可能であり、それらの用途は、本明細書に提供された実施形態の説明から明らかになる。
【０００８】
以上では、以下の本発明の詳細な説明をより十分に理解できるように、本発明の特徴および技術上の利点をかなりおおまかに概説した。以下では、本発明の追加の特徴および追加の利点を説明する。開示される着想および特定の実施形態を、本発明の同じ目的を達成するために他の構造を変更または設計するためのベースとして容易に利用することができることを当業者は理解すべきである。さらに、このような等価の構造は、添付の特許請求の範囲に記載された本発明の範囲を逸脱しないことを当業者は理解すべきである。
【０００９】
次に、本発明および本発明の利点のより完全な理解のため、添付図面に関して書かれた以下の説明を参照する。
【図面の簡単な説明】
【００１０】
【図１】いくつかの大学環境内における、本発明の実施形態を含む携帯型通信装置の動作の略図である。
【図２】講義室の位置を決定する状況における、本発明の実施形態を含む携帯型通信装置の動作の略図である。
【図３】さまざまな可能な機能を示す、本発明の実施形態を含む携帯型通信装置の動作の流れ図である。
【図４】本発明の実施形態に基づくコンピュータ・プログラム製品を記憶および／または実行するのに適した携帯型通信装置４００のブロック図である。
【発明を実施するための形態】
【００１１】
本発明の実施形態は、位置固有情報をユーザに提供する改良された方法を提供する。この情報は、このサービスの提供者が管理するデータベースから提供される。好ましい実施形態では、第三者サービス提供者（例えばＣｏｌｌｅｇｅＮＥＴ）によってアプリケーションが開発および提供され、第三者サービス提供者は、アプリケーションのさまざまなプログラム・オプション／ＡＰＩを、第三者サービス提供者の顧客（例えばさまざまな大学）が利用および選択できるようにする。このようにすると、それらのさまざまな大学が、それらの大学に関連した固有のユーザ体験を提供するために、それらの大学自体の固有のアプリケーションを開発する必要（およびアプリケーションをダウンロードするようユーザに促す必要）がなくなり、ユーザが、訪れたそれぞれの学校のアプリケーションをダウンロードする必要がなくなる。
【００１２】
以下の説明では、本明細書で使用される用語「位置決定装置」が、全地球測位システム（ＧＰＳ）、ＩＥＥＥ８０２．１１（Ｗｉ−Ｆｉ）などのローカル・エリア無線コンピュータ・ネットワーク、モバイル・セルラ・ネットワーク装置、ブルートゥース装置、近距離通信（ＮＦＣ）装置、Ａｐｐｌｅ  Ｃｏｍｐｕｔｅｒ，Ｉｎｃ．のｉＢｅａｃｏｎ（登録商標）、無線周波数識別（ＲＦＩＤ）装置、位置ビーコンを用いたジオフェンシングなどのタイプの位置送信電子装置のうちの１つまたは複数の電子装置を指す。本明細書で使用される用語「ブランド」または「ブランディング情報」は、商品またはサービスの供給元、由来、提携先または後援者を示すことができる任意の情報を指し、この情報には、限定はされないが、商標、役務標章、ロゴ、標語、色、マスコットやバナー、紋章や印章、エンブレム、サウンド、祝歌、応援歌、校歌などが含まれる。本明細書で使用される用語「携帯型通信装置」は、少なくとも無線手段によってデータを伝達するように適合され、またユーザが携帯できるように適合された、信号処理装置、データ処理システムまたはコンピュータ・システムを指す。これには、限定はされないが、携帯電話、スマートホン、タブレット装置、ラップトップ・コンピュータ、パーソナル・ディジタル・アシスタントなどが含まれる。
【００１３】
以下の項は、本発明の実施形態の用途の説明的な例を示す。しかしながら、当業者には理解されることだが、他の用途も本発明の範囲に含まれる。
【００１４】
本発明の実施形態の可能な用途の第１の例では、ユーザが、ハーヴァード大学のキャンパスを訪れ、このことが、ハーヴァード大学のコードが書き込まれた位置決定装置への接近によって検出され、アプリケーションの表示（すなわち画面表示またはグラフィック・ユーザ・インタフェース）が、ハーヴァード大学のブランド（スクール・カラー、シンボル、マスコット、標語、商標、背景画像など）に変化し、ユーザが利用できるようにしたいとハーヴァード大学が考えるオプションの第１のセットがユーザに提示される。これらのオプションは、ユーザの身分（来客、教員、職員、学生、入学志望者、親、寄付者など）に基づいて決定することができ、この身分は、アプリケーションに対するサインオン認証情報によって決定することができる。そのユーザが続いて、エール大学のキャンパスを訪れたとすると、このことが、エール大学のコードが書き込まれた位置決定装置への接近によって検出され、同じアプリケーションの表示がエール大学のブランドに変化し、ユーザが利用できるようにしたいとエール大学が考えるオプションの第２のセットがユーザに提示される。エール大学によって提供されるこのオプションの第２のセットは、ハーヴァード大学によって提供されるオプションの第１のセットとは異なることがあることに留意されたい。
【００１５】
本発明の実施形態の可能な用途の第２の例は、多くの展示会が行われているコンベンション・ホールをユーザが訪れることである。第１の販売会社の展示場の近くにいること（このことは、Ｉｋｅａのコードが書き込まれた第１の位置決定装置への接近によって検出することができる）に応答して、アプリケーションの表示がその販売会社のブランドに変化し、ユーザが利用できるようにしたいとその販売会社が考えるオプションおよび／または販売促進情報がユーザに提示される。例えば、Ｉｋｅａの展示場では、このアプリケーションが、Ｉｋｅａのロゴをコーナに有する青と黄色の強調表示に変化する。Ｃｏｃａ  Ｃｏｌａの展示場などの第２の展示場に近づいたことが、Ｃｏｃａ  Ｃｏｌａのコードが書き込まれた第２の位置決定装置への接近によって検出されると、このアプリケーションは、Ｃｏｃａ  Ｃｏｌａのロゴをコーナに有する赤と白の強調表示に変化する。このアプリケーションの機能は、販売会社の選択（例えば販売促進ビデオ、値引き商品の提示、オンライン注文書式、ダウンロード可能な製品パンフレット／仕様書など）に基づいて変化しうる。これらのオプションは、ユーザの身分（従業員、入場者、顧客、好ましい顧客など）に基づいて決定することができ、この身分は、サインオン認証情報によって決定することができる。ユーザが次いで、第３の販売会社の展示場に近づいたとすると、このことが、第３の位置決定装置への接近によって検出され、同じアプリケーションの表示がその販売会社のブランドに変化し、ユーザが利用できるようにしたいとその新たな販売会社が考えるオプションがユーザに提示される。同様の利用法を、博物館、動物園、自然保護区、美術品展示場、史跡または歴史的展示物、産業展示会など、任意の展示会場または環境に対して適用することができる。
【００１６】
他の例示的な用途では、ミーティング・スペースの予定の作成に本発明の実施形態が使用される。一例として、多数の教室があるキャンパス内の建物をユーザが訪れているとする。このアプリケーションは、位置決定装置からの信号を検出することによってそのユーザがその建物に接近したことを検出し、その建物のさまざまな教室のスケジュールをユーザに提示する。より細かなレベルでは、このアプリケーションが、（例えば教室の入口の近くにある局所的な位置決定装置を感知することによって）特定の教室への接近を検出し、その特定の教室のスケジュールを表示する。予定作成のオプションは、ユーザの身分（来客、教員、職員、学生）に基づいて決定することができ、この身分は、サインオン認証情報によって決定することができる。例えば、教員は、その教室の予定時間を書き込む「書込み」特権を有することができ、学生は、予定されている講義／行事を見る「読取り」特権だけを有することができる。同じ使用法を、多数の会議室／ミーティング・ルームを有するオフィスビルに適用することができる。
【００１７】
図１は、いくつかの大学環境内で動作している本発明の実施形態に基づく携帯型通信装置１０２内の本発明の実施形態に基づくアプリケーションの動作の略図１００を示す。これらの環境は、上で簡単に説明した第１の用途の環境と同様の環境である。携帯型通信装置１０２内で動作している本発明の実施形態に基づくアプリケーションが、ＧＰＳ、Ｗｉ−Ｆｉ、モバイル・ネットワーク、ブルートゥース、ＮＦＣ、ｉＢｅａｃｏｎ、位置ビーコンを用いたジオフェンシングなどの例示的な位置決定装置１２０からの位置信号を検出する（１１８）。位置決定装置１２０が提供する位置情報によってデバイス１０２のおおよその位置を決定し、および／またはＧＰＳシステム１１４から位置情報を得た１１６の後、このアプリケーションは、クラウド内でサービスとしてのソフトウェアモードで動作しているウェブ・サービスに問い合わせて、管理機関（すなわち位置決定装置上の位置データを提供およびプログラムした組織）による所定の選択に従ってユーザに提供および表示する情報を取得する。
【００１８】
例１１２では、携帯型通信装置１０２がスタンフォード大学のキャンパスにあることを、携帯型通信装置１０２がＧＰＳ信号から感知した場合、このアプリケーションは、携帯型通信装置１０２上の表示のさまざまな属性、例えば色（スタンフォード大学のカラーである緋色に）、ロゴ、表示オプションなどを変化させる（１２２）。同様に、携帯型通信装置１０２が、オレゴン大学（Ｕ  ｏｆ  Ｏ）のコードが書き込まれた位置決定装置を検出した場合、アプリケーション１１０は、携帯型通信装置がＵ  ｏｆ  Ｏのキャンパスにあると判定し、携帯型通信装置１０２上の表示のさまざまな属性、例えば色（Ｕ  ｏｆ  Ｏのカラーである緑と黄色に）、ロゴ、表示オプションなどを変化させる（１２４）。最後に、カンザス大学（ＫＵ）のコードが書き込まれた位置決定装置とＧＰＳ信号の両方が、携帯型通信装置１０２がＫＵのキャンパスにあることを示している第３のケースでは、このアプリケーションが、携帯型通信装置１０２上の表示のさまざまな属性、例えば色（ＫＵのカラーである深紅色と青に）、ロゴ、表示オプションなどを変化させる（１２６）。上記の第１の例示的な用途で説明したとおり、具体的な変更は、携帯型通信装置のユーザの予め決められた身分によって、例えば携帯型通信装置のユーザが、来客、教員、職員、学生、入学志望者、親、寄付者などのいずれであるのかによって異なることがある。
【００１９】
図２は、講義室２２０の位置を決定する状況における、携帯型通信装置２０６内の本発明の実施形態に基づくアプリケーションの動作の略図２００を示す。この状況は、上で簡単に説明した第３の用途の状況と同様の状況である。携帯型通信装置２０６内で動作している本発明の実施形態に基づくアプリケーションが、この図に示されているｉＢｅａｃｏｎなどの例示的な位置決定装置２０４からの位置信号を検出する（２０８）。この特定の例では、位置情報が、（１０１番講義室（２２０）を示す）値「１０００」を有する主座標、および（１０１番講義室の特定の扉を示す）値「０２３３」を有する副座標を含む。カーテンまたは可動分割壁などによって１０１番講義室が細分されている場合には、１０１番講義室の副座標が、講義室１０１内のより小さな特定のミーティング・スペースを示していることがある。図示されているように、それぞれのミーティング・スペースには別々の扉を通って入る。装置２０６のおおよその位置を決定した後、アプリケーションは、ＡＰＩ２１４のリンク２１６を介して、２５Ｌｉｖｅ２１０のサービスとしてのソフトウェア（ＳａａＳ）に問い合わせる（２１２）。２５Ｌｉｖｅシステムは次いで、講義室１０１の空間データを装置２０６に送信することによって、これに応答する（２１８）。この空間データは、講義室の最新の割当てを含むことができる（この講義室には扉０２３３を通って入る。講義室１０１が個々の空間に細分されている場合には、それぞれの空間に別々の扉を通って入る）。例えば、ｉＢｅａｃｏｎ２０２に問い合わせた場合、２５Ｌｉｖｅシステムは、１０１番講義室の空間データも提供するが、細分された空間に対する別々の割当てを有する（あり得る）室の細分に関する差異が生じる可能性がある。１３１番講義室が細分されていない場合には、主座標１０００／副座標０２３３に対して提供される空間データと主座標１０００／副座標０２３４に対して提供される空間データが同じであることがある。
【００２０】
図３は、本発明の実施形態に基づくアプリケーションの動作の流れ図３００を示す。最初に、ブロック３０２で、ユーザが、図１の１０２、図２の２０６などのユーザの携帯型通信装置上のアプリケーション（「アプリ」）を開く。このアプリは最初に、携帯型通信装置のＧＰＳ位置を見つけることができたかどうかを判定する（３０６）。見つけることができた場合、位置決定装置（「センサ」）が近くにあるかどうかを判定する必要はなく、アプリは、ＧＰＳ／センサ・ルックアップ・サービスの問合せ（３１２）の方へすぐに分岐する。ＧＰＳ／センサ・ルックアップ・サービスは、例えば大学キャンパスの座標（通常は広い面積を占めるキャンパスの多数の境界線座標）、キャンパス内の個々の建物の座標、またはキャンパス内の個々の位置決定装置の位置情報（これは、建物の内部空間ではＧＰＳが使用できない可能性があるためである）など、このアプリに適用可能なさまざまな場所の予め決められた位置情報を有する。ＧＰＳ位置を見つけることができない場合には（通常は多数のＧＰＳ衛星からの信号の受信による混信が原因である）、ローカル・センサ（位置決定装置）からの信号を見つける（３０８）ことを試みる。そのような信号も見つけることができない場合には、おそらくは携帯型通信装置の画面上に表示された予め決められたあり得る位置のリストの中から、ユーザが位置を選択する（３１０）。
【００２１】
このように、１）ＧＰＳ信号からの設定、２）ローカル・センサからの設定、または３）ユーザによる直接（手動）設定の３つのうちの１つの手法で、アプリケーションに対してこの位置を設定することができる（３１４）。位置を設定した後、ブロック３１４で設定された位置に基づいて、ブロック３１６〜３２２がさまざまな機能を実行する。ブロック３１６は、画面表示（「ビュー」）を、設定された位置に対応するように、例えば、図１の場合のように、スタンフォード大学の配色およびロゴに変化させる。次に、ブロック３１８が、さまざまな位置固有通知、例えばフットボールのスタンフォード大学の次のホーム・ゲームの時刻を表示する。この受信情報は次いでブロック３２０でユーザに対して表示される。教室の位置または展示会場の位置の場合には、ブロック３２２が、その空間で予定されている次のいくつかの活動ならびにそれらの活動の時刻および利用可能性（例えば今から２時間後に始まるスタンフォード大学の映画館の次の上演作品のチケットが売り切れているかどうかなど）を表示する。
【００２２】
ブロック３１６〜３２２での位置に基づく動作の実行に続いて、ブロック３２４が、位置が変化したかどうかを感知する（例えば、教室棟の廊下をユーザが歩いているとすると、ブロック３０８が、それぞれの教室の扉のセンサから位置情報を繰り返し読み取る）。ブロック３２４で位置の変化が感知されると、結合ブロック３０４が、ブロック３０６および場合によってはブロック３０８を開始して、新たなＧＰＳ座標と、場合によっては新たなセンサ位置を捜し、このサイクルが繰り返される。
【００２３】
本発明の少なくとも１つの実施形態は、非一時的コンピュータ可読媒体にコードが書き込まれたコンピュータ・プログラム製品を対象としている。このコンピュータ・プログラム製品は、コンピュータ実行可能命令を含み、このコンピュータ実行可能命令は、実行されたときに、１つまたは複数のコンピュータ・システムに、限定はされないが図３に示された方法などの本発明の実施形態を実行させる。次に図４を参照すると、本発明の実施形態に基づくコンピュータ・プログラム製品を記憶および／または実行するのに適した携帯型通信装置４００のブロック図が示されている。携帯型通信装置４００は、携帯型通信装置１０２および２０６として使用するのに適している。携帯型通信装置４００は、少なくとも１つのマイクロプロセッサを有する中央演算処理装置４０２を含む。システム・バス４１２を介して、中央演算処理装置４０２をメモリ素子に直接にまたは間接的に結合することができる。メモリ素子は、コンピュータ実行可能命令を記憶することができる非一時的コンピュータ可読媒体を含む。メモリ素子は、プログラム・コードの実際の実行中に使用されるランダム・アクセス・メモリ４０６と、データおよび命令をより長期に記憶する不揮発性メモリ４１０とを含むことができる。１つまたは複数の入力装置４１６および出力装置４１８をシステム・バス４１２に直接に、または介在するＩ／Ｏコントローラ４１４を介して結合することができる。入力装置４１６の例は、マウスもしくはトラックパッドなどのポインティング・デバイスまたはキーボードを含む。ただしこれらに限定されるわけではない。出力装置４１８の例は、表示画面またはプリンタを含む。ただしこれらに限定されるわけではない。好ましい実施形態では、入力装置４１６と出力装置４１８が結合されて単一の装置を形成している。この単一の装置は、（ユーザから入力を受け取る）接触感応性の面を有する（携帯型通信装置４００のユーザに対して情報を表示する）表示画面を備えるタッチスクリーンを構成する。介在する専用網または公衆網４２４を介して遠隔コンピュータ・システム４２６または遠隔プリンタもしくは記憶装置にこのシステムを結合することを可能にするため、ネットワーク・アダプタ４２２を携帯型通信装置４００に結合することもできる。モデム、ケーブル・モデム、イーサネット（登録商標）・カードおよび無線ネットワーク・アダプタは、現在使用可能なタイプのネットワーク・アダプタの少数の例である。好ましい実施形態では、携帯型通信装置４００が１つまたは複数の受信器４３０を含む。受信器４３０は、アンテナ４３２によって無線信号を受信する。受信器４３０は、位置決定装置１２０またはＧＰＳシステム１１４から位置信号を受信するように適合されている。受信器４３０は、無線信号の送信と受信の両方が可能なトランシーバを備えることができる。例示の目的上、図４には、携帯型通信装置４００のさまざまな構成装置が別個の装置として示されているが、さまざまな構成装置が、システム・オン・チップ（ＳｏＣ）装置などのように、当技術分野で公知の単一の装置に統合されていてもよい。
【００２４】
本発明および本発明の利点を詳細に説明したが、添付の特許請求の範囲によって定義された本発明の範囲から逸脱することなく、本明細書に、さまざまな変更、置換および改変を加えることができることを理解すべきである。さらに、本出願の範囲が、本明細書に記載されたプロセス、機械、製造、組成物、手段、方法およびステップの特定の実施形態に限定されることは意図されていない。当業者なら本発明の開示から容易に理解することだが、本明細書に記載された対応する実施形態と実質的に同じ機能を実行し、または実質的に同じ結果を達成する既存のまたは今後開発されるプロセス、機械、製造、組成物、手段、方法またはステップを、本発明に従って利用することができる。したがって、添付の特許請求の範囲は、その範囲内に、このようなプロセス、機械、製造、組成物、手段、方法またはステップを含むことが意図されている。
【図１】
2019506818.tif 000002
【図２】
2019506818.tif 000003
【図３】
2019506818.tif 000004
【図４】
2019506818.tif 000005
【手続補正書】
【提出日】平成29年6月6日(2017.6.6)
【手続補正１】
【補正対象書類名】特許請求の範囲
【補正対象項目名】全文
【補正方法】変更
【補正の内容】
【特許請求の範囲】
【請求項１】
携帯型通信装置上の位置認知アプリケーションの表示および／または機能を、検出された位置に基づいて変化させる方法であって、
位置決定装置からの位置信号を受信することによって前記携帯型通信装置の位置を検出するステップと、
ユーザに提供する大学に関する情報について、第三者サービス提供者によって運営されているウェブ・ベースのサービスに問い合わせるステップであり、前記情報が、検出された前記位置に位置する前記大学に対応し、前記情報が、前記大学によって前記第三者サービス提供者に提供されたデータが入力された前記第三者サービス提供者のデータベースからのものである、ステップと、
前記携帯型通信装置によって、前記大学に関する前記ユーザに提供する前記情報を、前記第三者サービス提供者によって運営されている前記ウェブ・ベースのサービスから受信するステップと、
前記第三者サービス提供者によって運営されている前記ウェブ・ベースのサービスから受信した前記情報を用いて、前記携帯型通信装置の前記位置認知アプリケーションのユーザ・インタフェースを、前記位置認知アプリケーションの前記ユーザ・インタフェースが前記大学に関連づけられたブランディング情報を含むような態様で変更するステップと
を含む方法。
【請求項２】
前記位置決定装置が多数のＧＰＳ衛星を含む、請求項１に記載の方法。
【請求項３】
前記位置決定装置がＷｉ−Ｆｉローカル・ネットワークを含む、請求項１に記載の方法。
【請求項４】
前記位置決定装置が近距離通信（ＮＦＣ）装置を含む、請求項１に記載の方法。
【請求項５】
前記位置決定装置がｉＢｅａｃｏｎを含む、請求項１に記載の方法。
【請求項６】
前記位置決定装置が、位置ビーコンを用いたジオフェンシングを含む、請求項１に記載の方法。
【請求項７】
前記位置決定装置がブルートゥース装置を含む、請求項１に記載の方法。
【請求項８】
前記位置決定装置が無線周波数識別（ＲＦＩＤ）装置を含む、請求項１に記載の方法。
【請求項９】
前記位置決定装置が、モバイル・セルラ・ネットワーク装置を含む、請求項１に記載の方法。
【請求項１０】
前記ユーザに提供する前記情報が位置固有通知を含み、前記ユーザに表示する前記情報が前記位置固有通知を含む、請求項１に記載の方法。
【請求項１１】
前記ユーザに提供する前記情報が予定作成のオプションを含み、前記ユーザに表示する前記情報が前記予定作成のオプションを含む、請求項１に記載の方法。
【請求項１２】
前記位置決定装置から検出された前記位置に変化があった場合に、前記問合せるステップ、前記受信するステップおよび前記表示するステップが繰り返される、請求項１に記載の方法。
【請求項１３】
所定の時間が経過した後に、前記問合せるステップ、前記受信するステップおよび前記表示するステップが繰り返される、請求項１に記載の方法。
【請求項１４】
前記携帯型通信装置の前記位置について問い合わせされる最初の位置決定装置が前記ＧＰＳ衛星である、請求項２に記載の方法。
【請求項１５】
前記位置固有ブランディング情報が、スクール・カラー、スクール・ロゴなどの前記携帯型通信装置上の画面表示の特性に対する変更を含む、請求項１に記載の方法。
【請求項１６】
前記位置固有通知が、検出された前記位置に対して予定されている近く行われる行事に関する情報を含む、請求項７に記載の方法。
【請求項１７】
前記予定作成のオプションが、検出された前記位置に対する講義の割当てを含む、請求項８に記載の方法。
【請求項１８】
携帯型通信装置であって、
バスに接続されたコンピュータ処理装置と、
前記バスに接続された受信器であり、位置決定装置からの位置信号を受信するように適合された受信器と、
前記バスに接続された表示画面であり、前記携帯型通信装置のユーザに対して情報を表示するように適合された表示画面と、
前記バスに接続された非一時的コンピュータ可読媒体であり、コンピュータ実行可能命令のコードが書き込まれた非一時的コンピュータ可読媒体と
を備え、前記コンピュータ実行可能命令が、前記コンピュータ処理装置によって実行されたときに、請求項１に記載の方法を前記装置に実行させる、
携帯型通信装置。
【請求項１９】
コンピュータ実行可能命令のコードが書き込まれた非一時的コンピュータ可読媒体であって、前記コンピュータ実行可能命令が、携帯型通信装置のコンピュータ処理装置によって実行されたときに、請求項１に記載の方法を前記携帯型通信装置に実行させる、非一時的コンピュータ可読媒体。
【国際調査報告】
2019506818.tif 000006
2019506818.tif 000007